(57)【要約】【課題】航空機材の予備機材の在庫、物流管理等に適用することが可能な在庫、物流管理等の方法、システムを提供すること。【解決手段】航空機材の予備機材１０，１１に、これら予備機材１０，１１の識別情報を入力したＩＣチップを備えるＩＣチップタグ２０を添付し、また予備機材１０，１１を梱包する輸送用コンテナ３０に、該コンテナ３０の識別情報及び梱包された予備機材１０，１１の識別情報を入力したＩＣチップを備えるＩＣチップタグ４０を添付する。ＩＣチップタグ２０，４０のＩＣチップに入力された識別情報を、輸送部門７０での処理時、輸送部門７０からＩＴストア８０への搬入時、ストア８０での棚８１への保管時並びにＩＴストア８０からの搬出時等に、読み取ることにより予備機材１０，１１の在庫、品質、資産、物流を管理する。【選択図】      図１
2004262617.tif 000002
【特許請求の範囲】
【請求項１】
部品、器材、資材等を含む航空機材等の予備機材を保管するストアでの該予備機材の在庫、品質、資産又は物流等の管理方法において、
前記予備機材の識別情報が入力されたＩＣチップを備える、ＩＣチップタグを前記予備機材に添付し、且つ
前記予備機材を輸送するための輸送用コンテナの識別情報及び該コンテナ内の予備機材の識別情報が入力されたＩＣチップを備えるＩＣチップタグを前記輸送用コンテナに添付して、
前記予備機材の輸送部門での処理時、該輸送部門から前記ストアへの搬入時並びに該ストアからの搬出時に、前記ＩＣチップから前記識別情報を読み取り、処理することによって、前記予備機材の在庫、品質、資産又は物流等の管理を行うことを特徴とする、管理方法。
【請求項２】
請求項１に記載の管理方法にして、
前記予備機材を扱う整備員自身の識別情報が入力されたＩＣチップを備えるバッチを各整備員が身につけ、予備機材の持ち出し要求時等において、前記バッチのＩＣチップからの識別情報も合わせて読み取り、処理することによって、前記予備機材の在庫、品質、資産又は物流等の管理を行うことを特徴とする、管理方法。
【請求項３】
請求項１に記載の管理方法にして、
前記予備機材に取り付けられる、ＩＣチップタグに入力された識別情報が、部品番号、部品名、個数、シリアル番号、トレーサブル情報、保管期限、使用期限、危険物情報（化学物質、爆発物、放射性物質、高圧ガス、可燃性物質等）、重量、修理可否情報、修理先情報、互換性情報、使用機材情報、改修情報、管理上の注意情報等であり、
前記コンテナに取り付けられる、ＩＣチップタグに入力された識別情報が、コンテナ番号、コンテナに収容された予備機材の部品番号・個数、コンテナの自重、収容物を含めたコンテナの総重量、特殊コンテナの是非情報等であることを特徴とする、管理方法。
【請求項４】
請求項２又は３に記載の管理方法にして、
前記バッチに入力された識別情報が、整備員のＩＤ番号、仕事分野トレード、ライセンス情報であることを特徴とする、管理方法。
【請求項５】
部品、器材、資材等を含む航空機材等の予備機材を保管するストアでの該予備機材の在庫、品質、資産又は物流等の管理システムにおいて、
前記予備機材の識別情報が入力されたＩＣチップを備えて、前記予備機材に添付されたＩＣチップタグと、
前記予備機材を輸送するための輸送用コンテナの識別情報及び該コンテナ内の予備機材の識別情報が入力されたＩＣチップを備えて、前記輸送用コンテナに添付されたＩＣチップタグと、
前記各ＩＣチップタグに前記識別情報を入力する情報入力装置と、
前記予備機材の輸送部門での処理時、該輸送部門から前記ストアへの搬入時並びに該ストアからの搬出時に、前記ＩＣチップから前記識別情報を読み取る情報読取装置と、
前記情報読取装置からの情報を処理して前記予備機材の在庫、品質、資産、物流管理等を行うコンピュータ情報処理装置とを具備してなることを特徴とする、管理システム。
【請求項６】
請求項５に記載の管理システムにして、
前記ストア内の棚への保管時及び該棚からの取り出し時に、前記ＩＣチップから前記識別情報を読み取る前記棚用の情報読取装置を更に装備してなることを特徴とする、管理システム。
【発明の詳細な説明】
【０００１】
本発明は、部品、器材、資材等を含む航空機材等の予備機材を保管するストアにおける該予備機材の在庫、品質、資産又は物流等の管理方法及びシステムに関する。
【０００２】
【背景技術】
航空機の部品、器材、資材等を含む航空機材の予備機材は航空機整備スケジュールに支障のないようにすることが不可欠で、万が一要求された予備機材が揃わなかったり、遅れたりすると、航空機の運航中止又は遅延等の甚大な損害を被ることになる。
【０００３】
【発明が解決しようとする課題】
このため、予備機材を、常時、ストア内に維持管理しておき、要求があったときにストアから直ちに持ち出せて、航空機整備スケジュールに間に合わせるようにしている。また、これに関連して予備機材のストアでの在庫、品質、資産、物流等の管理の効率化が要請されている。
【０００４】
従来、予備機材にその入荷識別情報を入力したバーコードを有するサービスブルタグ等を添付して、ストアに収容した予備機材の在庫、品質、資産、物流の管理を行い、これら管理の効率化を図っている。
【０００５】
最近、更なる効率化を図るためにＩＣチップを利用した予備機材の在庫、品質、資産、物流の管理が検討されはじめている。
【０００６】
しかし、航空機材の予備機材は、その種類が非常に多いこと、そして非常に高価であること、さらに航空機材の予備機材には、航空法等の下での種々の法規制（例えば予備機材の購入後、又は修理された予備機材の受け入れ時に、検査を行い、良品とされるものについてはサービサブルタグの添付が義務づけられ、また予備機材の履歴を示すトレーサブルタグの添付も義務づけられていること）がある等、一般消費材と異なる性格を有している。
【０００７】
これまで提案された、ＩＣチップを利用した在庫、物流管理等に関する先行技術としては、例えば、特開２００２−４９９００号公報、特開２００２−２１４９８１号公報、特開２００２−１１４３３５号公報、特開２０００−２４７４１６号公報、特開２００２−１６９４２８号公報等の文献に開示されたものが知られているが、これらはいずれも一般消費材の在庫、物流管理を対象としており、上述した、航空機材の予備機材を対象とすることは非常に難しく、航空機材の予備機材のための在庫、物流管理方法、システムの開発が要望されていた。
【０００８】
本発明は、上記事情に鑑みてなされたもので、種類が多く、高価で且つ種々の法規制がある、航空機材の予備機材の在庫、物流管理等に適用可能で且つ効率的な在庫、物流管理方法、システムを提供することを目的とする。
【０００９】
【課題を解決するための手段】
上記目的を達成する本発明の管理方法、システムによれば、航空機材の予備機材の識別情報を入力したＩＣチップを備えるＩＣチップタグを、該予備機材と予備機材を梱包輸送するコンテナにそれぞれ添付し、予備機材のストアへの搬入時、該ストアからの持ち出し時等にＩＣチップに入力された識別情報を読み取ることにより、種類が多く、高価で且つ種々の法規制がある、航空機材の予備機材の在庫、物流管理等の効率化を図っている。
【００１０】
すなわち、本発明の管理方法によれば、部品、器材、資材等を含む航空機材等の予備機材を保管するストアでの該予備機材の在庫、品質、資産又は物流等の管理方法において、前記予備機材の識別情報が入力されたＩＣチップを備えるＩＣチップタグを前記予備機材に添付し（取り付け）、且つ前記予備機材を輸送するための輸送用コンテナの識別情報及び該コンテナ内の予備機材の識別情報が入力されたＩＣチップを備えるＩＣチップタグを前記輸送用コンテナに添付して（取り付けて）、前記予備機材の輸送部門での処理時、該輸送部門から前記ストアへの搬入時並びにストアからの搬出時（持ち出し時）に前記ＩＣチップから前記識別情報を読み取り、処理することによって、前記予備機材の在庫、品質、資産又は物流等の管理を行うことを特徴とする。
【００１１】
また、本発明の管理システムによれば、部品、器材、資材等を含む航空機材等の予備機材を保管するストアでの該予備機材の在庫、品質、資産又は物流等の管理システムにおいて、前記予備機材の識別情報が入力されたＩＣチップを備えて、前記予備機材に添付された（取り付けられた）ＩＣチップタグと、前記予備機材を輸送するための輸送用コンテナの識別情報及び該コンテナ内の予備機材の識別情報が入力されたＩＣチップを備えて、前記輸送用コンテナに添付された（取り付けられた）ＩＣチップタグと、前記各ＩＣチップタグに前記識別情報を入力する情報入力装置と、前記予備機材の輸送部門での処理時、該輸送部門から前記ストアへの搬入時、前記ストアでの棚保管時並びに前記ストアからの搬出時（持ち出し時）に、前記ＩＣチップから前記識別情報を読み取る情報読取装置と、前記情報読取装置からの情報を処理して前記予備機材の在庫、品質、資産、物流管理等を行うコンピュータ情報処理装置とを具備してなることを特徴とする。
【００１２】
【発明の実施の形態】
以下本発明の一実施例について添付図面を参照して説明する。
【００１３】
図１は本発明の管理システムの一実施例を示す概略図、図２及び図３は図１の管理システムの動作を示すフローチャートである。
【００１４】
図１に示すように、本実施例の管理システムでは、購入した航空機材の予備機材１０や修理後の予備機材１１に、これら予備機材１０，１１の識別情報（予備機材１０，１１についての情報）を入力したＩＣチップを備えるＩＣチップタグ２０を添付し（取り付け）、また予備機材１０，１１を梱包する輸送用コンテナ３０に、該コンテナ３０の識別情報及び梱包された予備機材１０，１１の識別情報を入力したＩＣチップを備えるＩＣチップタグ４０を添付する（取り付ける）。そして、ＩＣチップタグ２０，４０のＩＣチップに入力された識別情報を、予備機材１０，１１のＩＴストア８０への搬送時、ＩＴストア８０内の棚８１への保管時、棚８１からの取り出し時並びにＩＴストア８０からの搬出時（持ち出し時）等に、読み取ることにより予備機材１０，１１の在庫、品質、資産、物流を管理するものである。
【００１５】
ＩＣチップタグ２０，４０は、例えば、ＩＣチップと該ＩＣチップに電気的に接続されたアンテナとを備え、これらＩＣチップとアンテナを基板上に搭載して絶縁樹脂により被覆して構成されており、非接触方式により情報の入力（書き込み、書き換え）と読み取りが可能となっている。
【００１６】
なお、図１中、５０は領収検査部門、６０は出荷部門、７０は輸送部門、９０は整備員のバッチ、１００はホストコンピュータである。
【００１７】
以下、本実施例を詳細に説明する。
【００１８】
領収検査部門５０には、購入した予備機材１０や修理後の予備機材１１が搬送されて、ここで予備機材１０，１１が良品であるか否かの検査確認を行う。
【００１９】
検査の結果、合格品の予備機材１０，１１にはＩＣチップを備えたＩＣチップタグ２０を添付する。このＩＣチップはバーコードに比して記憶容量が大きいことから、該当する予備機材１０，１１の識別情報として、例えば、部品番号、部品名、個数、シリアル番号、トレーサブル情報、保管期限、使用期限、危険物情報（化学物質、爆発物、放射性物質、高圧ガス、可燃性物質等）、重量、修理可否情報、修理先情報、互換性情報、使用機材情報、改修情報、管理上の注意情報等を入力することが可能である。
【００２０】
予備機材１０，１１には、航空法等によりサービサブルタグの添付が義務づけられおり、現在はこのサービサブルタグの他にトレーサブルタグも添付されているが、上述の如くＩＣチップにはトレーサブル情報も入力されていることから、トレーサブル情報を含むＩＣチップをサービサブルタグとしてのＩＣチップタグ２０に埋め込むことにより、トレーサブルタグは不要となる。
【００２１】
なお、サービサブルタグの添付が義務づけられていない予備機材１０，１１については予備機材用タグとしてのＩＣチップタグ２０を添付する。ネジ、ナット等の比較的安価な予備機材１０，１１は複数個まとめてビニール袋内に収容されるので、ビニール袋にＩＣチップタグ２０を添付する。
【００２２】
上記識別情報のうち、保管期限はＩＴストア８０での保管期限を示しており、この保管期限に基づいてＩＴストア８０内での予備機材１０，１１の品質管理を行う。
【００２３】
使用期限は主に予備機材１０，１１をＩＴストア８０から外に持ち出す際等に整備員により利用される。使用期限が徒過した予備機材１０，１１を誤って使用する事態を回避するためである。
【００２４】
危険物情報は出荷時、物流時において重要な情報であり、この危険物情報に基づいて出荷時、物流時の予備機材１０，１１の包装、梱包形態や輸送形態が定まり、また予め危険物情報を知ることにより事故の未然防止を図る。
【００２５】
重量は物流時において輸送手段（例えば航空機等）の重量制限以内に収まるか否かを確認する際に重要な情報となる。また、出荷部門６０、輸送部門７０、ストア８０等で作業員、整備員等が一人で扱えるか或いは複数人で扱わなければいけないかを知る上で有益である。
【００２６】
バーコードを備えたタグを予備機材に添付していた従来の場合、部品識別番号以外の上述した情報等についてはタグに印刷されており、タグに印刷した保管期限等の各種情報の内容を目視で読み取るようにしており、このため手間がかかる上に読み違いによる人為的なミスを回避することが難しかった。上述のようにＩＣチップに入力した場合、情報読取装置等を使用するようになることから、目視の場合に比して手間がかからず、また保管期限、使用期限が過ぎた場合、情報読取装置、情報処理端末等から警報を発するようなシステムを採用することによりミスを極力回避することが可能となる。
【００２７】
上述した識別情報は、検査確認後、ＩＣチップタグ２０の予備機材１０，１１への添付前に、領収検査部門５０に設置された情報入力装置５１によりＩＣチップに入力される。情報入力装置５１はパソコンベースの情報処理端末５２に接続されており、該情報処理端末５２によって入力する識別情報の管理が行われる。出荷部門６０では、領収検査部門５０から搬送された予備機材１０，１１を輸送用コンテナ３０内に梱包する。この輸送用コンテナ３０には、領収検査部門５０から出荷部門６０に予備機材１０，１１を搬送する際に包装・梱包に使用した段ボール箱や木箱も含まれる。そして、ＩＣチップタグ４０のＩＣチップにコンテナ３０の識別情報と梱包された予備機材１０，１１の識別情報を入力して、このＩＣチップタグ４０を輸送用コンテナ３０に添付する。
【００２８】
ＩＣチップタグ４０のＩＣチップに入力される識別情報としては、例えば、コンテナ番号、コンテナに収容された予備機材の部品番号・個数、コンテナの自重、収容物を含めたコンテナの総重量、特殊コンテナの是非情報等がある。
上述した識別情報は、梱包後等に、出荷部門６０に設置された情報入力装置６１によりＩＣチップに入力される。情報入力装置６１はパソコンベースの情報処理端末６２に接続されており、該情報処理端末６２によって入力する識別情報の管理が行われる。
【００２９】
輸送部門７０では、出荷部門６０から搬送された輸送用コンテナ３０のＩＣチップタグ４０の識別情報を読み取り、複数あるＩＴストア８０のうち（図１では簡略化のため１つのＩＴストア８０しか図示していないが、実際には保管する予備機材１０，１１に合わせて複数のＩＴストア８０が配備されている）、トラック便等で該当するＩＴストア８０にコンテナ３０を搬送する。
【００３０】
上述したＩＣチップタグ４０の識別情報は、輸送部門７０に設置された情報読取装置７１により読み取られる。情報読取装置７１はパソコンベースの情報処理端末７２に接続されており、該情報処理端末７２によって読み取った識別情報の管理が行われる。
【００３１】
ＩＴストア８０には、その出入り口とＩＴストア８０内の所定の棚８１に情報読取装置８２，８３が設置されており、ＩＣチップタグ２０，４０からコンテナ３０の識別情報と梱包された各予備機材１０，１１の識別情報を読み取る。情報読取装置８３は棚用であり、棚８１に固定配置される据置型と、ストアマンや整備員等が携帯する携帯型とがある。情報読取装置８３が固定配置されていない棚８１では、携帯型の情報読取装置８３が使用される。特に、大型の予備機材１０，１１を保管する棚８１では、棚８１への保管作業時、棚８１からの取り出し作業時に棚８１に固定配置した据置型の情報読取装置８３が邪魔になって、作業能率を低下させたり、誤って情報読取装置８３を破損したりするおそれがあることから、据置型に代えて携帯型の情報読取装置８３を利用することが好ましい。全ての棚８１に携帯型の情報読取装置８３を利用することも可能である。予備機材１０，１１の種類によっては開梱されて各々の指定の棚８１に保管されるものと、開梱されずにコンテナ３０内に保管されたままの状態でコンテナ毎に保管されるもの（キット等）とがある。
【００３２】
コンテナ３０内に保管されたままで開梱されない予備機材１０，１１につては、情報読取装置８２の他に、据置型か或いは携帯型の情報読取装置８３によってコンテナ３０に添付したＩＣチップタグ４０の識別情報を読み取ることにより、保管情報確認を行う。
【００３３】
コンテナ３０から開梱された各予備機材１０，１１については、情報読取装置８２の他に、据置型か或いは携帯型の情報読取装置８３によって各予備機材１０，１１に添付したＩＣチップタグ２０の識別情報を読み取ることにより、保管情報確認を行う。
【００３４】
情報読取装置８２，８３はパソコンベースの情報処理端末８４に接続されており、該情報処理端末８４によって読み取った識別情報の管理が行われる。
【００３５】
上述した情報処理端末５２，６２，７２，８４はそれぞれホストコンピュータ１００に接続される。予備機材１０，１１により一部異なるが、基本的には各情報処理端末５２，６２，７２，８４により入力する情報（書き換え情報）と読み取り情報を管理しており、情報処理端末５２，６２，７２，８４とホストコンピュータ１００との間ではマスター情報の授受を行う。
【００３６】
ＩＴストア８０の情報読取装置８２，８３での識別情報の読み取りは、ホストコンピュータ１００からの指示による場合と、ＩＴストア８０での情報処理端末８４からの指示による場合とがある。整備員からのＩＴストア８０内に保管された予備機材１０，１１の持ち出し要求は、ホストコンピュータ１００を介して行う。
【００３７】
予備機材１０，１１を扱う各整備員は、整備員自身の識別情報、例えば整備員のＩＤ番号、仕事分野トレード（ＴＲＡＤＥ）、ライセンス情報等が入力されたＩＣチップを備えるＩＣチップバッチ９０を身につける。
【００３８】
次に、上記管理システムを利用して行う予備機材１０，１１の在庫、品質、資産、物流の管理方法の一実施例を、図１の概念図、図２及び図３のフローチャートを参照して説明する。
【００３９】
予備機材購入・修理・在庫計画に基づいてベンダーから予備機材１０を購入し、また修理された予備機材１１を修理部門から受け入れる。購入、修理された予備機材１０，１１は領収検査部門５０で良品であるか否かの検査確認が行われる。合格品の予備機材１０，１１についての識別情報を情報処理端末５２から読み出し、この識別情報を、情報入力装置５１を介してＩＣチップタグ（サービサブルタグ）２０に入力し、このＩＣチップタグ２０を予備機材１０，１１に添付する。また、ホストコンピュータ１００から情報処理端末５２を介して該当するＩＴストア８０への予備機材１０，１１の送付指示が出される。
【００４０】
ＩＣチップタグ２０が添付された予備機材１０，１１は先ず出荷部門６０に搬送され、ここで輸送用コンテナ３０内に梱包される。なお、領収検査部門５０から出荷部門６０に予備機材１０，１１が段ボール箱や木箱に包装・梱包されて搬送されてきたとき、これら段ボール箱、木箱がそのまま輸送用コンテナ３０となる。
【００４１】
そして、輸送用コンテナ３０の識別情報と梱包された予備機材１０，１１の識別情報を情報処理端末６２から読み出して、これら識別情報を、情報入力装置６１を介してＩＣチップタグ４０に入力し、このＩＣチップタグ４０を輸送用コンテナ３０に添付する。
【００４２】
次いで、ＩＣチップタグ４０が添付された輸送用コンテナ３０は輸送部門７０に搬送され、ここでＩＣチップタグ４０から輸送用コンテナ３０の識別情報と梱包された予備機材１０，１１の識別情報とが情報読取装置７１により読み取られ、情報処理端末７２に送られる。輸送部門７０からトラック等でコンテナ３０が該当するＩＴストア８０に搬送される。
【００４３】
ＩＴストア８０では、その出入り口に設置した情報読取装置８２によりＩＣチップタグ２０，４０からコンテナ３０の識別情報と梱包された予備機材１０，１１の識別情報を情報読取装置８２により読み取り、情報処理端末８４に送る。コンテナ３０の開梱是非確認を行い、開梱しないコンテナ３０については、予備機材１０，１１をコンテナ３０に梱包したまま所定の棚８１に保管する。このとき、棚８１に配置した据置型の情報読取装置８３或いはストアマン等が携帯する携帯型の情報読取装置８３によりコンテナ３０に添付したＩＣチップタグ４０の識別情報を読み取り、情報処理端末８４に保管情報を送る。開梱するコンテナ３０については、コンテナ３０から各予備機材１０，１１を取り出して所定の棚８１に保管する。このとき、棚８１に配置した据置型の情報読取装置８３或いはストアマン等が携帯する携帯型の情報読取装置８３により予備機材１０，１１に添付したＩＣチップタグ２０の識別情報を読み取り、情報処理端末８４に保管情報を送る。
【００４４】
したがって、ＩＴストア８０内での予備機材１０，１１の保管中、どの棚８１にどの予備機材１０，１１が幾つ保管されているかの保管情報確認（在庫確認）を行うことができる。また、保管中の予備機材１０，１１の保管期限、使用期限等の情報から品質確認作業を行うことができる。
【００４５】
整備員がＩＴストア８０の出入り口に入場して、予備機材１０，１１の持ち出し要求をすると、情報読取装置８２がＩＣチップバッチ９０の識別情報を読み取り、情報処理端末８４を介してホストコンピュータ１００に送り、該ホストコンピュータ１００に入力されたデータと照合して一致した場合には情報処理端末８４で入場許可確認を行う。また、持ち出し要求した予備機材番号、数量及び保管場所等を記載した持ち出し票（持ち出し許可）を出力する。ＩＣチップバッチ９０の識別情報とホストコンピュータ１００に入力されたデータとが一致しない場合には警報を発し、ストアマンに許可されていない者の侵入があったとして連絡する。ストアマンの不在時にあっては、ストア管理センターに連絡される。
【００４６】
整備員は持ち出し票の情報に基づいて該当する棚８１から予備機材１０，１１を取り出す。このとき、棚８１に配置した据置型の情報読取装置８３或いは整備員が携帯する携帯型の情報読取装置８３によりＩＣチップバッチ９０とＩＣチップタグ２０の識別情報を読み取り、また出入り口からＩＴストア８０の外に持ち出す際にも、情報読取装置８２によりＩＣチップバッチ９０とＩＣチップタグ２０の識別情報を読み取り、どの整備員がどの棚８１からどの予備機材１０，１１を幾つ持ち出したかを情報処理端末８４を介してホストコンピュータ１００に情報転送し、整備員には持ち出し確認書を出力し、また情報処理端末８４にメモリされた保管情報を変更する（在庫数を減少させる）。
【００４７】
ホストコンピュータ１００では情報処理端末８４の情報等に基づいて整備作業別持ち出し予備機材の集計を行い、この集計に基づいて新たな予備機材購入・修理・在庫計画をたて、これに基づいて予備機材１０を購入し、また修理された予備機材１１を受け入れて、上述した作業を繰り返す。
【００４８】
整備員によって一旦持ち出された予備機材１０のうち、未使用の予備機材１０が発生した場合、この未使用の予備機材１０は、ＩＴストア８０に戻される。また、故障した予備機材１０は修理に回され、修理後、修理された予備機材１１として領収検査部門５０に送られる。
【００４９】
上述したように本実施例の管理システム、管理方法によれば、ＩＴストア８０の出入り口に設置された情報読取装置８２と棚用の据置型或いは携帯型の情報読取装置８３により、予備機材１０，１１の保管時に、ＩＣチップタグ２０，４０を読み取り、どの棚８１にどの予備機材１０，１１が幾つ保管されているかの保管情報を管理し、また整備員による予備機材１０，１１の持ち出し時に、ＩＣチップタグ２０，４０及びＩＣチップバッチ９０を読み取り、どの整備員がどの棚８１からどの予備機材１０，１１を幾つ持ち出し、どの棚８１にはどの予備機材１０，１１が幾つ残っているかの持ち出し・保管情報を管理しているので、予備機材１０，１１の正確な保管場所が把握でき、また正確な在庫数が把握でき、在庫、品質等の管理が容易で、これに基づいて正確な予備機材１０，１１の購入計画、修理計画、在庫計画をたてることが出来る。また、リアルタイムで予備機材１０，１１の在庫数（在庫の変化）が把握（確認）でき、棚卸し作業の大幅な軽減を図ることが可能となる。
【００５０】
また、領収部門５０，出荷部門６０での予備機材１０，１１の授受確認情報と、輸送部門７０からＩＴストア８０への予備機材１０，１１の輸送状況情報と、ＩＴストア８０での予備機材１０，１１の授受確認情報をホストコンピュータ１００に送るので、予備機材輸送時の授受確認と輸送状況の自動化、すなわち物流管理の自動化を図ることができる。
【００５１】
上記実施例では、所定の棚８１に据置型の情報読取装置８３を配置する一方、携帯型の情報読取装置８３を利用して予備機材１０，１１の棚８１への保管時、取り出し時等にＩＣチップタグ２０，４０、ＩＣチップバッチ９０の識別情報を読み取るようにした場合を示したが、これに限定されるものではない。
【００５２】
通常、予備機材１０，１１のＩＴストア８０内での保管場所（棚８１）は決まっているので、情報読取装置８３を省略することは可能である。ただ、上記実施例のようにした場合、保管時に誤った棚８１に予備機材１０，１１を保管した場合であっても情報読取装置８３によりＩＣチップタグ２０，４０の識別情報が既に読み取られているので、直ぐに所望の予備機材１０，１１がどの棚８１にあるかの保管場所の特定が行え、ストア８０内の各棚８１で予備機材１０，１１を探すようなことをしなくても済む。
【００５３】
【発明の効果】
以上説明したように本発明によれば、予備機材の識別情報が入力されたＩＣチップを備える、ＩＣチップタグを予備機材に添付し、且つ予備機材を輸送するための輸送用コンテナの識別情報及び該コンテナ内の予備機材の識別情報が入力されたＩＣチップを備えるＩＣチップタグを輸送用コンテナに添付して、予備機材の輸送部門での処理時、輸送部門からストアへの搬入時並びに該ストアからの搬出時に、ＩＣチップから識別情報を読み取り、処理することによって、予備機材の在庫、品質、資産又は物流等の管理を行うので、各棚での在庫情報確認が正確且つ容易であり、また自動持ち出し処理が行え、ストアマンが介在する余地が少なくなり、夜間帯を含むストアの省力化を図ることが可能である。
【００５４】
また、在庫情報の正確化、すなわち、リスト情報と実在庫の乖離防止を図ることが出来ることから、予備機材の航空機整備への提供が的確に行われ、航空機運航中止又は遅延が防止できると共に、年間数億円におよぶ在庫誤差損失を削減でき、更に棚卸し作業が大幅に軽減される。
【００５５】
また、棚用の情報読取装置により、棚保管時にＩＣチップタグの情報を読み取るようにした場合、常時、どの棚にどの予備機材を保管しているかを確認して棚保管場所ミス防止を図ることができ、このため整備員による持ち出し作業の効率化を図ることが出来る。また、フリーロケーションによる効率化を図ることも可能である。
【００５６】
また、予備機材及びコンテナのＩＣチップタグの識別情報を各物流ポイントで読み取るようにすると、精度の高い、緻密な物流情報が伝達・蓄積され、これにより日々の在庫・物流管理を行うことができ、また迅速且つ膨大な物流情報が入手でき、物流の改善が可能となる。
【００５７】
また、整備員のＩＣチップバッチに入力された識別情報も利用して予備機材の在庫、品質、資産又は物流等の管理を行う場合には、盗難防止を図ることが可能である。
【００５８】
また、ＩＣチップタグはバーコードよりも圧倒的に記憶容量が大きいことからＩＣチップタグをサービサブルタグとして使用する場合、別途トレーサブルタグを添付するようなことをしなくても済み、この点からも管理作業の効率化を図ることが可能である。
【図面の簡単な説明】
【図１】本発明の管理システムの一実施例を示す概略図である。
【図２】図１の管理システムの動作を示すフローチャートである。
【図３】図１の管理システムの動作を示すフローチャートである。
【符号の説明】
１０，１１  予備機材
２０  ＩＣチップタグ
３０  コンテナ
４０  ＩＣチップタグ
５０  領収検査部門
５１  情報入力装置
５２  情報処理端末
６０  出荷部門
６１  情報入力装置
６２  情報処理端末
７０  輸送部門
７１  情報読取装置
７２  情報処理端末
８０  ストア
８１  棚
８２  情報読取装置
８３  情報読取装置
８４  情報処理端末
９０  ＩＣチップバッチ
１００  ホストコンピュータ
【図１】
2004262617.tif 000003
【図２】
2004262617.tif 000004
【図３】
2004262617.tif 000005